(57)【要約】      （修正有）【課題】デリケート衣類を洗濯機に入れて洗浄しても、繊維の形崩れがしにくく摩擦が少ない洗濯を可能にしたデリケート衣類用洗濯ネットを提供する。【解決手段】本発明の洗濯ネットは、クロロプレーン素材からなる生地とし、該生地に複数の孔部を設けたことを特徴とする。前記生地としては、クロロプレーンゴムおよびポリエステルジャージからなるものが好適である。複数の前記孔部は、前記生地に全体的に設けられ、前記孔部によって形成されたハニカム構造を含むように配置されるのが好適である。【選択図】図２４
2020168364.tif 000002
【特許請求の範囲】
【請求項１】
クロロプレーン素材からなる生地とし、該生地に複数の孔部を設けたことを特徴とするデリケート衣類用洗濯ネット。
【請求項２】
前記生地は、クロロプレーンゴムおよびポリエステルジャージからなる、請求項１に記載のデリケート衣類用洗濯ネット。
【請求項３】
前記孔部の孔径の大きさが、１〜２０ｍｍの範囲内にある、請求項１または２に記載のデリケート衣類用洗濯ネット。
【請求項４】
複数の前記孔部が、前記生地に全体的に設けられ、前記孔部によって形成されたハニカム構造を含むように配置される、請求項１〜３の何れかに記載のデリケート衣類用洗濯ネット。
【請求項５】
縦１０〜３０ｃｍ×横１５〜３５ｃｍ×奥行き５〜１５ｃｍの略方形状の袋の状態で使用される、請求項１〜４の何れかに記載のデリケート衣類用洗濯ネット。
【発明の詳細な説明】
【技術分野】
【０００１】
本発明は、デリケート繊維を傷めることなく洗濯機で洗浄できる洗濯ネットに関し、詳細には、クロロプレーン素材からなる生地を使用し、複数の孔を設けてなる、特にデリケートな素材の衣類のための洗濯ネットに関する。
【背景技術】
【０００２】
従来から、洗濯ネットを用いて衣類を内部に収納し、洗濯ネットごと洗濯機に入れて洗濯が行われている。洗濯ネットとしては、通常、最大経が１ｍｍ以下のものから１０ｍｍ程度の大きさの網目状のポリエステル繊維からなる洗濯ネットが利用されている。
【０００３】
例えば、特許文献１には、水流が比較的通りやすく、かつ、糸くずなどの進入も比較的少ない洗濯ネットの提供を課題として、各網目の最大幅が１ｍｍ以下の網を袋状に形成してなる洗濯ネットにおいて、前記網の表面に最大幅が２ｍｍ〜２０ｍｍの穴を複数配した洗濯ネットが提案されている。
【０００４】
このような従来の洗濯ネットは、衣類の型崩れやホコリ・糸くずから繊維を守ることや、付属品（スパンコールや金属）等を保護して衣類が傷まないようにする役割がある。
【０００５】
しかし、従来の洗濯ネットでは、メリヤス生地、ニット、セーター等のスリップ（脱落）を防止できないので、衣類の風合いや形状を保護することができない。また、繊維に対して擦れが多く、摩擦によって生地に負担、傷みが発生する。また、従来の洗濯ネットでは、ウール素材製品等のデリケートな素材の衣類を洗濯ネットに入れて洗濯すると、形状が変化し摩擦を引き起こし繊維がフィブリル化状態となる。さらに、脱水時における洗濯機のバランスコントロールは、ドラムの中で洗濯物が均一にならず、エラーを引き起こす（脱水できない）。
【０００６】
引用文献１に開示の洗濯ネットでは、糸くずなどの問題は解消できても、デリケートな素材の衣類における上記のフィブリル化や、バランスコントロールの問題が残る。これにより、デリケートな素材の衣類を洗濯機に入れて洗浄した場合、繊維が形崩れし、大きな摩擦が生じることがある。
【先行技術文献】
【特許文献】
【０００７】
【特許文献１】特開２０１１−５５８６４号公報
【発明の概要】
【発明が解決しようとする課題】
【０００８】
本発明は、デリケート衣類を洗濯機に入れて洗浄しても、繊維の形崩れがしにくく摩擦が少ない洗濯を可能にした洗濯ネットを提供することを目的とする。
【課題を解決するための手段】
【０００９】
本発明者は、前記目的を達成するべく鋭意研究した結果、洗濯ネットの素材としてクロロプレーンゴム、ポリエステルジャージ生地（ウェットスーツ素材）を使用し、それに複数の孔を空けることにより、水を滞留しながら、濯ぎ性の良い洗いが可能になることの知見を得た。
【００１０】
本発明は、前記知見に基づきなされたもので、下記の発明を提供することにより、その目的を達成したものである。
【００１１】
１．クロロプレーン素材からなる生地とし、該生地に複数の孔部を設けたことを特徴とするデリケート衣類用洗濯ネット。
【００１２】
２．前記生地は、クロロプレーンゴムおよびポリエステルジャージからなる、前記１に記載のデリケート衣類用洗濯ネット。
【００１３】
３．前記孔部の孔径の大きさが、１〜２０ｍｍの範囲内にある、前記１または２に記載のデリケート衣類用洗濯ネット。
【００１４】
４．複数の前記孔部が、前記生地に全体的に設けられ、前記孔部によって形成されたハニカム構造を含むように配置される、前記１〜３の何れかに記載のデリケート衣類用洗濯ネット。
【００１５】
５．縦１０〜３０ｃｍ×横１５〜３５ｃｍ×奥行き５〜１５ｃｍの略方形状の袋の状態で使用される、前記１〜４の何れかに記載のデリケート衣類用洗濯ネット。
【発明の効果】
【００１６】
本発明によれば、デリケート衣類を洗濯機に入れ自動回転させて洗浄することができ、衣類の繊維の形崩れがしにくく摩擦が少ない洗濯を可能にした洗濯ネットを提供することができる。
【図面の簡単な説明】
【００１７】
【図１】本発明の一実施形態に係るクロロプレーン洗濯ネットを説明するために示す概略正面図である。
【図２】図１のクロロプレーン洗濯ネットを製作するための一工程（複数の孔部によるハニカム構造の形成）を示す概略写真図である。
【図３】図１のクロロプレーン洗濯ネットを構成する一部（正面部または背面部）の部材を示す概略写真図である。
【図４】図１のクロロプレーン洗濯ネットを構成する各部材を合わせて示す概略写真図である。
【図５】本発明の他の実施形態に係るクロロプレーン洗濯ネットを説明するために６面図を一部省略して示す概略説明図である。
【図６】本発明のさらに他の実施形態に係るクロロプレーン洗濯ネットの使用状態（デリケート衣類を入れた状態）を示す概略説明写真図である。
【図７】図６のクロロプレーン洗濯ネットの使用状態（洗濯機で洗浄した状態）を示す概略説明写真図である。
【図８】図６のクロロプレーン洗濯ネットの使用状態（洗浄後に洗濯ネットを開けた状態）を示す概略説明写真図である。
【図９】図６のクロロプレーン洗濯ネットの使用状態（洗浄後の洗濯ネットからデリケート衣類を取り出した状態）を示す概略説明写真図である。
【図１０】本発明の実施例で洗浄テストに使用するクロロプレーン洗濯ネットを示す正面写真図である。
【図１１】図１０のクロロプレーン洗濯ネットの洗浄テストにおける洗濯機中で水を含んだ状態を示す概略説明写真図である。
【図１２】図１０のクロロプレーン洗濯ネットの洗浄テストにおいて洗濯機で回転洗浄している状態を示す概略説明写真図である。
【図１３】図１０のクロロプレーン洗濯ネットの洗浄テスト終了後（すすぎ・脱水後）の状態を示す概略説明写真図である。
【図１４】比較例１の洗浄テストに使用する市販の洗濯ネットを示す概略写真図である。
【図１５】図１４の市販の洗濯ネットを使用した洗浄テストにおける洗濯機で回転洗浄している状態を示す概略説明写真図である。
【図１６】実施例（図１０のクロロプレーン洗濯ネット）の洗浄テストの結果としての衣類を竿に吊した状態で示す概略説明写真図である。
【図１７】図１６に示す衣類を洗濯前のものと比較するための概略説明写真図である。
【図１８】比較例１（図１４の市販の洗濯ネット）の洗浄テストの結果としての衣類を竿に吊した状態で示す概略説明写真図である。
【図１９】図１８に示す衣類を洗濯前のものと比較するための概略説明写真図である。
【図２０】比較例２（洗濯ネットなし）の洗浄テストの結果としての衣類を竿に吊した状態で示す概略説明写真図である。
【図２１】図２０に示す衣類を洗濯前のものと比較するための概略説明写真図である。
【図２２】本発明のさらに別の実施形態に係るクロロプレーン洗濯ネットの展開側面写真図である。
【図２３】ウェットスーツ（ネオプレーン素材）での残布を繋ぎ合わせた生地を示す写真図である。
【図２４】本発明のさらに別の実施形態に係るクロロプレーン洗濯ネットの概略斜視図である。
【発明を実施するための形態】
【００１８】
以下、本発明について、その好ましい実施形態に基づき詳細に説明する。
本発明の一実施形態に係る洗濯ネットを図１に示す。図１に示すように、本実施形態に係る洗濯ネット１０は、クロロプレーン素材からなる生地１とし、該生地１に複数の孔部２，２，…を設けたことを特徴とする。本実施形態の洗濯ネット１０は、かかる構成を備えることにより、デリケート衣類を洗濯機に入れ自動回転させて洗浄することができ、衣類の繊維の形崩れがしにくく摩擦が少ない洗濯を可能にしたものである。
【００１９】
本実施形態に係る洗濯ネット１０に用いられる生地１であるクロロプレーンゴムとしては、例えば、内部に気泡を含むクロロプレーン製のゴムとしてウェットスーツの素材に用いられているもの等であり、人間の肌に密着することを前提として作られている（以下、この生地を単に「プレーン」ともいう）。そのため、プレーンは、こすれても刺激にならないようにその表面がスムースに作られている。
【００２０】
また、洗濯ネット１０は、上記の素材を数枚使用し、肌にストレスがないように専用ミシンで縫合するように設計されているため、衣類を入れて使用した場合に糸のこすれを防ぐことができる。
【００２１】
生地１を構成するプレーンとしては、例えば、ネオプレーン（Neoprene、登録商標、以下同じ）という素材（サーフィン用ウェットスーツに用いられているもの）等、具体的には、クロロプレーンゴムおよびポリエステルジャージ等を好ましく使用することができる。プレーン素材は、サーフィン等の激しいスポーツでも使用でき、肌への摩擦が少ないことから、デリケート衣類に対して洗濯する場合にも有用である。
【００２２】
また、プレーンの使用形態としては、クロロプレーンの素地が表面に露出したもの（スキン）、スキン素材の表面にニット地を貼り付け加工したもの（ジャージ）、片側にのみ生地を貼った片面スキンまたは片面ジャージ等が挙げられる。
【００２３】
このようなプレーン素材を構成するクロロプレーンが有する特徴から、本実施形態の洗濯ネット１０は、軽量であり、強靭性（引き裂き強度）に優れ、熱伝導率が低く断熱性を有し、保温材としても優れた性能を有する。また、独立気泡構造であるため、吸水性は極めて低い。また、適度なクッション性を有し、緩衝材としても使用できる。さらには、耐候性にも優れている。
【００２４】
なお、ウェットスーツ自体を洗濯機で洗うことは、洗濯機メーカー等によって一般に禁止されている。その要因は、ウェットスーツが水を保有しやすく排水されにくいことにより、脱水時に大量の水を排水できず、それが洗濯機の故障に繋がるためである。
【００２５】
本実施形態に係る洗濯ネット１０は、そのプレーン生地１に、複数の孔部２が設けられている。プレーン生地１における孔部２の位置は、特に制限されないが、デリケート衣類を入れて洗濯機で自動回転させて洗浄しても繊維の形崩れがしにくく摩擦が少ない洗濯を可能するという本発明の効果をより向上し得るような態様で配置されることが好ましい。
【００２６】
例えば、洗濯ネット１０のプレーン生地１に対して適度に孔部２を設けることにより、洗濯の際にランダムな孔から制限された水の流れが、急激なメカニカルアクションを及ぼさないことで、水洗いが難しいとされるバルキー（太糸で編んだ緩め）なセーター等もフェルト化せず、毛立ちやスリップも起こることがない。
【００２７】
本実施形態において、プレーン生地１に設けられる複数の孔部２は、洗濯の際の水流を逃すためのものであり、バランスを崩すことなく、洗濯機で、洗い・注ぎ・脱水まで可能にするものである。
【００２８】
一つの孔部２の孔径の大きさは、洗濯の際の水流およびバランスを保つ等の点から、特に１〜２０ｍｍの範囲内にあることが好ましい。特に、繊維の形崩れがしにくく、水流バランスや洗浄性等の向上の点から、２〜１５ｍｍ、とりわけ３〜１３ｍｍの大きさの孔を備えることがより好ましい。
【００２９】
本実施形態においては、複数の孔部２がプレーン生地１に全体的に設けられ、孔部２によって形成されたハニカム構造３を含むように配置されることが好ましい。このように、複数の孔部２によって形成したハニカム構造を含むように配置されることで、プレーン生地１の伸縮性と相俟って、洗濯機中の急激な圧力も生地１にあるハニカム構造３を形成する複数の孔部２によって分散され、エラーを発生させにくく、スムースに脱水等が可能となる。
【００３０】
本実施形態に係る洗濯ネット１０は、例えば、図２〜図４に示す工程を経ることによって容易に製作することができる。まず、図２に示すように、プレーン生地１の下地にハニカム構造３を形成するためのハニカム（六角形）の下書き線を入れる。その下書き線に沿って、図３に示すような、複数の孔部２を形成したハニカム構造を有するプレーン生地１を製作する。図３は、洗濯ネット１０を構成する一部としての正面部または背面部の部材である。同様に、複数の孔部２からなるハニカム構造３とともにファスナー部４を含む、平面部、左右側面部および底面部を形成するプレーン生地１の一体化部材を準備する。そして、図４に示すように、上記の構成各部材を合わせ、縫合することにより、洗濯ネット１０を製作することができる。
【００３１】
本実施形態に係る洗濯ネット１０は、縦１０〜３０ｃｍ×横１５〜３５ｃｍ×奥行き５〜１５ｃｍの略方形状の袋の状態で使用されることが、本発明の効果を向上できる点で好ましい。特に好ましい洗濯ネット１０の形態としては、図２４に示すように、略方形状の袋の角の丸みを帯びた形態である。具体的には、複数の１０ｍｍの孔部が所定の位置に配置され、角の部分を丸くした長方形状の正面および背面と、それに沿って上面（平面）、底面および両側面の、ファスナーを備える一体的に連続した面とで構成されるネオプレーンからなる洗濯ネットが最も好ましい。この洗濯ネットの全体の大きさとしては、縦１９ｃｍ、横２４．５ｃｍ、奥行き１１．５ｃｍである。複数の孔部をプレーン生地の全体の少なくとも一部に、複数の六角形状（ハニカム構造）が形成されるように規則的に配置することが好ましい（図２４参照）。このような配置で孔部を形成することで、デリケート衣類を洗濯機で洗浄性やプレーン生地の強度を向上でき、長期使用の耐久性も向上する。
なお、本発明においては、プレーン洗濯ネットのサイズや形態については特に制限されない。
【００３２】
また、本発明の他の実施形態に係るプレーン洗濯ネットを図５に示す。この実施形態の洗濯ネットは、図５に示すように、正面部が正面図に現れ、背面部が正面図と同様に現れ、上部が平面図に現れ、下部が底面図に現れ、右側面部が右側面図に現れ、左側面部が右側面図と対象に現れ、これらの六面図によって特定される。
【００３３】
図５に示す実施形態の洗濯ネットは、前述した実施形態の洗濯ネット１０とは模様が少し異なるが、同様に多数の孔部２からなるハニカム構造３を各面のプレーン生地１に備えており、さらに上部および側部の面には開閉可能なファスナー部４が設けられている。かかる実施形態の洗濯ネットでも、ハニカム構造３による優れた効果が得られる。
【００３４】
本発明の洗濯ネットにおいては、複数の孔部２をプレーン生地１の全体にわたり、均等に複数の六角形状（ハニカム構造３）を形成するように配置することが好ましい。このように孔部２を形成することで、よりスムースにニット等のデリケート衣類を洗濯機で洗浄することができ、プレーン生地１の強度を向上するとともに長期使用の耐久性も向上する。
【００３５】
例えば、図５に示すような、一つの六角形の直径（対向する頂点間の長さ）が４ｃｍのハニカム状に孔部２を設けたプレーン洗濯ネットが好ましく挙げられる。
【００３６】
なお、図５においては、ハニカム状がわかり易いように説明のための線を入れてあるが、実際の物には孔部２のみが存在する。ここで、ハニカム構造３の大きさは、特に制限されず一つの六角形の直径を適宜に設定可能である。
【００３７】
図５に示すプレーン洗濯ネットの例は、サイズが縦２０ｃｍ×横２７ｃｍ×奥行き９ｃｍのものを示している。洗濯機に入れて洗う際に略方形状の状態にして使用される。この洗濯ネットの複数の孔部２を形成する一つの孔のサイズは、径が２ｍｍである。なお、孔のサイズをこのように小さくすることにより、生地のスリップを減少させるため好ましいが、本発明においては１〜５ｍｍ、好ましくは１．５〜４ｍｍの範囲で適宜設定可能である。
【００３８】
本発明のさらに他の実施形態に係るプレーン洗濯ネットを用いた使用例を図６〜９に示す。図６は、洗濯前の洗濯ネットにデリケート衣類を入れた状態を示す。図７は、洗濯ネットを洗濯機で自動回転による洗浄した状態を示す。図８は、洗浄後に洗濯ネットのファスナー部を開けた状態を示す。図９は、洗浄後の洗濯ネットからデリケート衣類を取り出した状態を示す。
【００３９】
図６〜９に示すプレーン洗濯ネットの例は、サイズが縦２０ｃｍ×横３０ｃｍ×奥行き１２ｃｍのものを示している。この洗濯ネットの例では、プレーン素材の生地１に対して、図６に示すように、正面中央部にLIVRER（本願出願人の登録商標）のロゴを複数の小さな孔部２で設けるとともに、その上下に向かって複数の大きな孔部２が増拡するように配置される。また、この洗濯ネットの上面および側面には、細長状の孔部が一定の間隔で列をなすように設けられている。孔部２の形状については、円形の丸孔、細長状の孔等、本発明の効果を損なわない限り特に制限されず、種々の形状にすることができる。このような実施形態のプレーン洗濯ネットでも、従来の洗濯ネットではできなかった洗濯機でのデリケート衣類の洗濯を可能にするものである。
【００４０】
その他、ネオプレーンはサーフィンなどで使用するウェットスーツ素材でもあり、その製造過程に発生する切れ端も再利用し、いくつもの端材をつなぎ合わせる事でオリジナルの洗濯ネットとすることができる。切れ端をつなぎ合わせて使う箇所は洗濯ネットの側面部で、ジッパーがついていない部分（図２２の展開側面図のマルを付した部分）に応用できる。なお、図２２は、上記とは別の実施形態に係るクロロプレーン洗濯ネットの展開側面写真図であり、正面部及び背面部を除く平底面及び左右側面を形成する部分の図である。
【００４１】
また、図２３に示すように、ウェットスーツ（ネオプレーン素材）での残布を繋ぎ合わせた生地とすることができる。アップサイクルを目的として、この生地を本発明に係る洗濯ネットの生地の一部に再利用することもできる。
【００４２】
本発明に係る洗濯ネットの使用方法は、デリケート衣類を適宜にたたみ、これを当該洗濯ネットに入れて洗濯機で洗浄・脱水・すすぎ・脱水等することにより行う。
【００４３】
本発明に係る洗濯ネットによって洗濯が可能なデリケートな素材としては、動物繊維カシミア、ベビーアルパカやシルク等が挙げられる。
【実施例】
【００４４】
以下に、実施例を挙げて、本発明を更に詳細に説明する。なお、本発明は、これらの実施例によって何らの制限を受けるものではない。
【００４５】
実施例（本発明に係るプレーン洗濯ネットによる洗浄テスト）
図１０に示すプレーン洗濯ネット〔ミニサイズ；横１６ｃｍ、高さ（縦）１２ｃｍ、ネオプレーン生地に複数の孔部からなるハニカム構造を含む〕を用いて、その中に被検体として以下のデリケート衣類を入れ、洗濯機で通常工程による洗浄テストを行った。
【００４６】
・デリケート衣類；
素材：ベビーアルパカ１００％
形状：スヌード
洗濯前サイズ（採寸方法：平置き）：横４０ｃｍ、縦２４ｃｍ
なお、本実施例および対照並びに後記の比較例１，２にも使用するため、同一の素材・寸法サイズのスヌードを４つ準備した。
【００４７】
洗濯ネットが濡れていくのに少し時間を必要とするため、洗濯洗剤は先に混ぜた状態にして洗濯ネットと衣類をしっかりと濡らし、つけておき、水を含んだ状態（図１１参照）になってから洗濯機の回転洗浄をスタートした。このときの洗浄中の状態を図１２に示す。
【００４８】
洗いテストは、洗濯機の通常コースにて５分洗濯することにより行った。そして、１分脱水後、５分すすぎ、１分脱水をして終了した。脱水の際、通常の洗濯ネットではバランスを崩し、エラーが生じやすいが、本実施例に係るプレーン洗濯ネットは伸縮性があり、急激な圧力も生地にあるハニカム構造を形成する複数の孔部により分散され、エラーを発生させにくく、スムースに脱水が可能であった。脱水後の状態を図１３に示す。
【００４９】
本実施例のテスト結果を図１６に示す。サイズ（採寸方法は平置き）は、洗濯前が横４０ｃｍ、縦２４ｃｍであり、洗濯後が横４０cm 縦２３．５ｃｍであった。また、図１７に示すように、左側の洗濯前の製品（対照）と比べても、右側の従来の洗濯ネットに入れて洗った製品は型崩れや繊維の伸びがほとんどなく、ベビーアルパカというデリケート衣類であっても問題なく洗濯機で洗浄できることがわかる。
【００５０】
次に、比較例１として図１４に示す市販の洗濯ネットを使用して洗った場合、および比較例２として洗濯ネットを使用せずに洗った場合のスヌードの洗浄テストを行った。洗浄テストの被検体や工程は、全て上記の実施例と同じもの、同一工程により洗濯した。比較例１の市販の洗濯ネットを使用して洗浄している様子を図１５に示す。
【００５１】
比較例１のテスト結果を図１８に示す。サイズ（採寸方法は平置き）は、洗濯前が横４０ｃｍ、縦２４ｃｍであったが、洗濯後が横４４ｃｍ、縦２２ｃｍであった。また、図１９に示すように、左側の洗濯前の製品（対照）と比べると、右側の従来の洗濯ネットに入れて洗った製品は、多少型崩れしており繊維もやや伸びていることがわかる。
【００５２】
比較例２（洗濯ネットを使用せずに洗った場合）のテスト結果を図２０に示す。サイズ（採寸方法は平置き）は、洗濯前が横４０ｃｍ、縦２４ｃｍであったが、洗濯後が横５０ｃｍ、縦２４ｃｍであった。また、図２１に示すように、左側の洗濯前の製品（対照）と比べて、右側の洗濯ネットなしで洗った製品は、繊維が伸び切ってしまっていることがわかる。
【産業上の利用可能性】
【００５３】
本発明は、デリケート衣類を洗濯機に入れて洗浄しても、繊維の形崩れがしにくく摩擦が少ない洗濯を可能にした洗濯ネットとして、産業上の利用可能性を有する。
【符号の説明】
【００５４】
１０：デリケート衣類用洗濯ネット
１：クロロプレーン（生地）
２：孔部
３：ハニカム構造
４：ファスナー部
【図１】
2020168364.tif 000003
【図２】
2020168364.tif 000004
【図３】
2020168364.tif 000005
【図４】
2020168364.tif 000006
【図５】
2020168364.tif 000007
【図６】
2020168364.tif 000008
【図７】
2020168364.tif 000009
【図８】
2020168364.tif 000010
【図９】
2020168364.tif 000011
【図１０】
2020168364.tif 000012
【図１１】
2020168364.tif 000013
【図１２】
2020168364.tif 000014
【図１３】
2020168364.tif 000015
【図１４】
2020168364.tif 000016
【図１５】
2020168364.tif 000017
【図１６】
2020168364.tif 000018
【図１７】
2020168364.tif 000019
【図１８】
2020168364.tif 000020
【図１９】
2020168364.tif 000021
【図２０】
2020168364.tif 000022
【図２１】
2020168364.tif 000023
【図２２】
2020168364.tif 000024
【図２３】
2020168364.tif 000025
【図２４】
2020168364.tif 000026